(57)【要約】【課題】グラウト材へのエアの巻き込みやヘッドの沈降などを抑止して好適にＰＣａ部材同士を接合することを可能にするＰＣａ部材の接合方法を提供する。【解決手段】上端部に複数の筒状のスリーブ４を一体に埋設して形成した下部ＰＣａ部材１の上に、上端面から下端面に開口して貫通する複数の貫通孔５を備えて形成した接合用ＰＣａ部材２を配置し、下端面から下方に複数の鉄筋３ａを突出させて形成した上部ＰＣａ部材３を、鉄筋３ａを貫通孔５内に挿通するとともにスリーブ４に挿入して接合用ＰＣａ部材２の上に配置する。そして、上部ＰＣａ部材３と接合用ＰＣａ部材２の少なくとも一方に振動機９を取り付け、振動機９で振動を与えながら、下部ＰＣａ部材１と接合用ＰＣａ部材２の間の下方目地部６、スリーブ４内、貫通孔５内にグラウト材８を注入する。【選択図】図１
2016199902.tif 000002
【特許請求の範囲】
【請求項１】
上端部に複数の筒状のスリーブを一体に埋設して形成した下部ＰＣａ部材の上に、上端面から下端面に開口して貫通する複数の貫通孔を備えて形成した接合用ＰＣａ部材を配置し、
下端面から下方に複数の鉄筋を突出させて形成した上部ＰＣａ部材を、前記鉄筋を前記貫通孔内に挿通するとともに前記スリーブに挿入して前記接合用ＰＣａ部材の上に配置し、
前記スリーブ内と、前記下部ＰＣａ部材と前記接合用ＰＣａ部材の間の下方目地部と、前記貫通孔内と、前記上部ＰＣａ部材と前記接合用ＰＣａ部材の間の上方目地部とにグラウト材を注入して、前記下部ＰＣａ部材と前記接合用ＰＣａ部材と前記上部ＰＣａ部材を一体に接合する方法において、
前記上部ＰＣａ部材と前記接合用ＰＣａ部材の少なくとも一方に振動機を取り付け、少なくとも前記下方目地部と前記貫通孔内に前記グラウト材を注入する際に前記振動機で振動を与えるようにしたことを特徴とするＰＣａ部材の接合方法。
【発明の詳細な説明】
【技術分野】
【０００１】
本発明は、ＰＣａ部材を接合する方法に関する。
【背景技術】
【０００２】
従来、ＰＣａ化率を高め、現場打ちコンクリートを減らすことで工期短縮を図る技術の開発が進められ、実用化されている。
【０００３】
具体的には、下部ＰＣａ柱（下部ＰＣａ部材）の上端部に機械式継手のスリーブを複数設け、下部ＰＣａ柱の上に柱梁仕口部用のいわゆるレンコンＰＣａ（パネルゾーンＰＣａ、接合用ＰＣａ部材）を設置し、下端部から下方に向けて複数の主筋を突出させた上部ＰＣａ柱（上部ＰＣａ部材）をレンコンＰＣａ上に設置するなどの構法がある。
【０００４】
このとき、上部ＰＣａ柱の下方に突出した複数の主筋をそれぞれ、シース管に挿入してレンコンＰＣａを貫通させ、さらに下部ＰＣａ柱の機械式継手のスリーブ内に差し込む。そして、レンコンＰＣａの複数のシース管内や下部ＰＣａ柱の複数の機械式継手のスリーブ内、上下に隣り合うＰＣａ部材の間の下方目地部、上方目地部にグラウト材を注入し、下部ＰＣａ柱とレンコンＰＣａと上部ＰＣａ柱の各ＰＣａ部材を一体に接合する（例えば、特許文献１参照）。
【先行技術文献】
【特許文献】
【０００５】
【特許文献１】特許第３９１４４５７号公報
【発明の概要】
【発明が解決しようとする課題】
【０００６】
一方、レンコンＰＣａのシース管内及び目地部にグラウト材を注入する際には、例えば、下部ＰＣａ柱に予め設けた下部注入口からグラウト材を注入し、複数のスリーブ内、さらに水平に流入させて下方目地部にグラウト材を充填させる。また、下方目地部からグラウト材をレンコンＰＣａの複数のシース管内に順次流入させ、シース管内を上昇したグラウト材が上方目地部に達した段階で下部注入口からのグラウト材の注入を停止する。そして、レンコンＰＣａに予め設けた上部注入口から上方目地部にグラウト材を注入する。
【０００７】
ここで、上記のようにグラウト材を注入する際に、下方目地部の上下ＰＣａ部材のコンクリート表面の状態や複数のシース管の配列状態、シース管内に挿通した上部ＰＣａ柱の主筋の水平方向の偏りなどに起因して複数のシース管内のグラウト材にヘッド差が生じる場合がある。このようにグラウト材にヘッド差が生じると、エア（エントラップドエア）がグラウト材に巻き込まれやすくなり、また、経時的にブリージングによるヘッドの沈降が生じやすくなる。
【０００８】
本発明は、上記事情に鑑み、グラウト材へのエアの巻き込みやヘッドの沈降などを抑止して好適にＰＣａ部材同士を接合することを可能にするＰＣａ部材の接合方法を提供することを目的とする。
【課題を解決するための手段】
【０００９】
上記の目的を達するために、この発明は以下の手段を提供している。
【００１０】
本発明のＰＣａ部材の接合方法は、上端部に複数の筒状のスリーブを一体に埋設して形成した下部ＰＣａ部材の上に、上端面から下端面に開口して貫通する複数の貫通孔を備えて形成した接合用ＰＣａ部材を配置し、下端面から下方に複数の鉄筋を突出させて形成した上部ＰＣａ部材を、前記鉄筋を前記貫通孔内に挿通するとともに前記スリーブに挿入して前記接合用ＰＣａ部材の上に配置し、前記スリーブ内と、前記下部ＰＣａ部材と前記接合用ＰＣａ部材の間の下方目地部と、前記貫通孔内と、前記上部ＰＣａ部材と前記接合用ＰＣａ部材の間の上方目地部とにグラウト材を注入して、前記下部ＰＣａ部材と前記接合用ＰＣａ部材と前記上部ＰＣａ部材を一体に接合する方法において、前記上部ＰＣａ部材と前記接合用ＰＣａ部材の少なくとも一方に振動機を取り付け、少なくとも前記下方目地部と前記貫通孔内に前記グラウト材を注入する際に前記振動機で振動を与えるようにしたことを特徴とする。
【発明の効果】
【００１１】
本発明のＰＣａ部材の接合方法においては、振動を付与しながらグラウト注入作業を行うようにしたことで、目地部及び貫通孔内にグラウト材を密実に充填することができる。また、このように振動を与えながらグラウト材の注入作業を行うことによって、エントラップドエアを排出してグラウト材の注入を行うことができる。これにより、上下のＰＣａ部材の接合施工の品質を向上させることが可能になる。
【００１２】
また、振動を付与することによって、貫通孔に充填したグラウト材のブリージングの発生を抑止することができる。これにより、接合用ＰＣａ部材の上端部でのグラウト材のヘッド差が解消され、上方目地部へのグラウト注入時にヘッド差部へのグラウト材の落下流入を防ぐことができる。これにより、さらなる品質の向上を図ることができる。
【００１３】
さらに、経時によるグラウト材の沈降を回避できるため、上方目地部のグラウト材と上部ＰＣａ部材の下端面の付着を確保する（向上させる）ことも可能になる。
【図面の簡単な説明】
【００１４】
【図１】本発明の一実施形態に係るＰＣａ部材の接合方法を示す図である。
【図２】図１のＸ１−Ｘ１線矢視図である。
【発明を実施するための形態】
【００１５】
以下、図１及び図２を参照し、本発明の一実施形態に係るＰＣａ部材の接合方法について説明する。
【００１６】
ここで、本実施形態のＰＣａ部材（プレキャストコンクリート部材）の接合方法は、グラウト材へのエアの巻き込みやヘッドの沈降などを抑止してグラウト注入作業を行い、好適にＰＣａ部材同士を接合可能な方法に関するものである。
【００１７】
はじめに、図１に示すように、本実施形態では、下部ＰＣａ部材である下部ＰＣａ柱１上に接合用ＰＣａ部材である柱梁仕口部用のレンコンＰＣａ（パネルゾーンＰＣａ）２を設置し、上部ＰＣａ部材である上部ＰＣａ柱３をレンコンＰＣａ２上に設置し、これら下部ＰＣａ柱１とレンコンＰＣａ２、レンコンＰＣａ２と上部ＰＣａ柱３、レンコンＰＣａ２を介して上部ＰＣａ柱３と下部ＰＣａ柱１をそれぞれ接合する。
【００１８】
また、本実施形態において、下部ＰＣａ柱１は、その上端部に機械式継手である複数の略有底円筒状のスリーブ４を一体に埋設して形成されている。また、これら機械式継手の複数のスリーブ４は、下部ＰＣａ柱１の複数の主筋１ａの上端にそれぞれ接続し、軸線Ｏ１方向を上下方向に向け、且つ下部ＰＣａ柱１の上端面（上面）に開口して設けられている。
【００１９】
レンコンＰＣａ２は、上端面から下端面に貫通し、下部ＰＣａ柱１の各スリーブ４に連通するように所定位置に配列して埋設された複数のシース管（貫通孔）５を備えて形成されている。
【００２０】
上部ＰＣａ柱３は、下端面（下面）から複数の主筋３ａをそれぞれ、所定の長さ下方に延出（突出）させて形成されている。
【００２１】
そして、本実施形態のＰＣａ部材の接合方法では、レンコンＰＣａ２のシース管５、下部ＰＣａ柱１のスリーブ４に、下方に突出する主筋３ａを差し込んで上部ＰＣａ柱３を設置した段階で、各スリーブ４内やシース管５内、上下に隣り合うＰＣａ部材（１と２、２と３）の間の目地部６、７にグラウト材８を注入し、下部ＰＣａ柱１とレンコンＰＣａ２と上部ＰＣａ柱３を一体に接合する。
【００２２】
一方、本実施形態のＰＣａ部材の接合方法においては、グラウト注入作業時に予め上部ＰＣａ柱３及び／又はレンコンＰＣａ２に振動機９を取り付けておく。そして、振動機９で適度な振動を与えながら、下部ＰＣａ柱１に設けた下部注入口１０からグラウト材８を注入し、下方目地部６に水平に流入させ、レンコンＰＣａ２のシース管５内に順次流入させる。さらに、シース管５内を上昇したグラウト材８が上方目地部７に達した段階で注入を停止し、レンコンＰＣａ２に設けた上部注入口１１から上方目地部７にグラウト材８を注入する。
【００２３】
このように振動を与えながらグラウト材８の注入作業を行うことによって、エントラップドエアを排出してグラウト材８の注入が行える。また、振動を与えることで、シース管５に充填したグラウト材８のブリージングの発生、ひいては各シース管５内のグラウト材８のヘッドの沈降が抑止される。
【００２４】
さらに、上部ＰＣａ柱３に振動機９を取り付け、この上部ＰＣａ柱３の主筋３ａに振動を与えるようにすると、グラウト材８がレンコンＰＣａ２のシース管５内でスムーズに上昇し、好適にグラウト注入作業が行える。また、効果的に、エントラップドエアを排出し、ブリージングの発生を抑止することができる。
【００２５】
したがって、本実施形態のＰＣａ部材の接合方法においては、振動を付与しながらグラウト注入作業を行うようにしたことで、目地部６、７及びシース管５内にグラウト材８を密実に充填することができ、上下のＰＣａ部材（１と２、２と３）の接合施工の品質を向上させることが可能になる。
【００２６】
また、振動を付与することによって、レンコンＰＣａ２の上端部でのグラウト材８のヘッド差が解消され、上方目地部７へのグラウト注入時にヘッド差部にグラウト材８が落下して流入することを防止でき、さらなる品質の向上を図ることができる。
【００２７】
さらに、経時によるグラウト材８の沈降を回避できるため、上方目地部７のグラウト材８と上部ＰＣａ柱３の下端面の付着を確保、向上させることができる。
【００２８】
以上、本発明に係るＰＣａ部材の接合方法の一実施形態について説明したが、本発明は上記の一実施形態に限定されるものではなく、その趣旨を逸脱しない範囲で適宜変更可能である。
【００２９】
例えば、本実施形態では、下部ＰＣａ部材が下部ＰＣａ柱１、接合用ＰＣａ部材が柱梁接合用のレンコンＰＣａ２、上部ＰＣａ部材が上部ＰＣａ柱３であるものとして説明を行ったが、必ずしも下部ＰＣａ部材や上部ＰＣａ部材が柱、接合用ＰＣａ部材が柱梁接合用のＰＣａ部材でなくてもよい。
【符号の説明】
【００３０】
１      下部ＰＣａ柱（下部ＰＣａ部材）
１ａ    主筋（鉄筋）
２      レンコンＰＣａ（接合用ＰＣａ部材）
３      上部ＰＣａ柱（上部ＰＣａ部材）
３ａ    主筋（鉄筋）
４      スリーブ（機械式継手）
５      シース管（貫通孔）
６      下方目地部（目地部）
７      上方目地部（目地部）
８      グラウト材
９      振動機
１０    下部注入口
１１    上部注入口
Ｏ１    軸線
【図１】
2016199902.tif 000003
【図２】
2016199902.tif 000004